(57)【特許請求の範囲】
【請求項１】
モバイル・デバイスの電力消費量を制御する装置によって実施される方法であって、
前記装置が、前記モバイル・デバイスにサービス提供する基地局のデータ・レートを示すインジケーションを受信することと、
前記装置が、前記モバイル・デバイスにサービス提供する基地局の、前記示されたデータ・レートに基づいて、前記モバイル・デバイスにおけるアクティブなリソースの数を動的に変化させることと、
を備える方法。
【請求項２】
前記アクティブなリソースは、インタリーブド・マルチ・スレッド（ＩＭＴ）プロセッサのアクティブなハードウェア・スレッドを備える、請求項１に記載の方法。
【請求項３】
前記モバイル・デバイスがしきい値未満のバッテリ電力しか有していない場合、前記装置が、前記モバイル・デバイスの低減されたデータ・レート能力をレポートすることと、
前記装置が、前記モバイル・デバイスの低減されたデータ・レート能力にしたがって、前記アクティブなリソースの数を低減することと、
をさらに備える請求項１に記載の方法。
【請求項４】
前記動的に変化させることは、前記モバイル・デバイスの低電力状態における時間を増加させることに基づく、請求項１に記載の方法。
【請求項５】
前記動的に変化させることは、全待機時間を増加させることを備える、請求項１に記載の方法。
【請求項６】
前記データ・レートを示すインジケーションは、ラジオ・アクセス技術および通信プロトコル・カテゴリのうちの少なくとも１つである、請求項１に記載の方法。
【請求項７】
モバイル・デバイスの電力消費量を制御する装置であって、
前記モバイル・デバイスにサービス提供する基地局のデータ・レートを示すインジケーションを受信する手段と、
前記モバイル・デバイスにサービス提供する基地局の、前記示されたデータ・レートに基づいて、前記モバイル・デバイスにおけるアクティブなリソースの数を動的に変化させる手段と、
を備える装置。
【請求項８】
前記アクティブなリソースは、インタリーブド・マルチ・スレッド（ＩＭＴ）プロセッサのアクティブなハードウェア・スレッドを備える、請求項７に記載の装置。
【請求項９】
前記動的に変化させる手段は、前記モバイル・デバイスの低電力状態における時間を増加させることに基づく、請求項７に記載の装置。
【請求項１０】
前記動的に変化させる手段は、全待機時間を増加させる手段を備える、請求項７に記載の装置。
【請求項１１】
モバイル・デバイスの電力消費量を制御するためのプログラム・コードを記憶したコンピュータ読取可能な記憶媒体であって、
前記プログラム・コードは、
前記モバイル・デバイスにサービス提供する基地局のデータ・レートを示すインジケーションを受信するためのプログラム・コードと、
前記モバイル・デバイスにサービス提供する基地局の、前記示されたデータ・レートに基づいて、前記モバイル・デバイスにおけるアクティブなリソースの数を動的に変化させるためのプログラム・コードと
を備える、コンピュータ読取可能な記憶媒体。
【請求項１２】
前記アクティブなリソースは、インタリーブド・マルチ・スレッド（ＩＭＴ）プロセッサのアクティブなハードウェア・スレッドを備える、請求項１１に記載のコンピュータ読取可能な記憶媒体。
【請求項１３】
前記動的に変化させるためのプログラム・コードは、前記モバイル・デバイスの低電力状態における時間を増加させることに基づく、請求項１１に記載のコンピュータ読取可能な記憶媒体。
【請求項１４】
前記動的に変化させるためのプログラム・コードは、全待機時間を増加させるためのプログラム・コードを備える、請求項１１に記載のコンピュータ読取可能な記憶媒体。
【請求項１５】
モバイル・デバイスの電力消費量を制御する装置であって、
メモリと、
前記メモリに接続された少なくとも１つのプロセッサとを備え、
前記少なくとも１つのプロセッサは、
前記モバイル・デバイスにサービス提供する基地局のデータ・レートを示すインジケーションを受信し、
前記モバイル・デバイスにサービス提供する基地局の、前記示されたデータ・レートに基づいて、前記モバイル・デバイスにおけるアクティブなリソースの数を動的に変化させるように構成される、装置。
【請求項１６】
前記アクティブなリソースは、インタリーブド・マルチ・スレッド（ＩＭＴ）プロセッサのアクティブなハードウェア・スレッドを備える、請求項１５に記載の装置。
【請求項１７】
前記少なくとも１つのプロセッサはさらに、
前記モバイル・デバイスがしきい値未満のバッテリ電力しか有していない場合、前記モバイル・デバイスの低減されたデータ・レート能力をレポートし、
前記モバイル・デバイスの低減されたデータ・レート能力にしたがって、前記アクティブなリソースの数を低減する
ように構成される、請求項１５に記載の装置。
【請求項１８】
前記動的に変化させるように構成された少なくとも１つのプロセッサは、前記モバイル・デバイスの低電力状態における時間を増加させることに基づく、請求項１５に記載の装置。
【請求項１９】
前記動的に変化させるように構成された少なくとも１つのプロセッサは、全待機時間を増加させるように構成された前記少なくとも１つのプロセッサを備える、請求項１５に記載の装置。
【請求項２０】
前記データ・レートを示すインジケーションは、ラジオ・アクセス技術および通信プロトコル・カテゴリのうちの少なくとも１つである、請求項１５に記載の装置。
【発明の詳細な説明】
【技術分野】
【０００１】
本開示の態様は、一般に、無線通信システムに関し、さらに詳しくは、マルチ・スレッド・プロセッサ・モバイル・デバイスにおける電力消費量を低減することに関する。
【背景技術】
【０００２】
無線通信ネットワークは、例えば音声、ビデオ、パケット・データ、メッセージング、ブロードキャスト等のようなさまざまな通信サービスを提供するために広く開発された。これら無線ネットワークは、使用可能なネットワーク・リソースを共有することにより、複数のユーザをサポートすることができる多元接続ネットワークでありうる。このような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングル・キャリアＦＤＭＡ（ＳＣ−ＦＤＭＡ）ネットワークを含む。
【０００３】
無線通信ネットワークは、多くのユーザ機器（ＵＥ）のための通信をサポートしうる多くの基地局を含みうる。ＵＥは、ダウンリンクおよびアップリンクによって基地局と通信しうる。ダウンリンク（すなわち順方向リンク）は、基地局からＵＥへの通信リンクを称し、アップリンク（すなわち逆方向リンク）は、ＵＥから基地局への通信リンクを称する。
【０００４】
基地局は、ダウンリンクでＵＥへデータおよび制御情報を送信し、および／または、アップリンクでＵＥからデータおよび制御情報を受信しうる。ダウンリンクでは、基地局からの送信が、近隣の基地局からの、または、その他の無線ラジオ周波数（ＲＦ）送信機からの送信による干渉と遭遇しうる。アップリンクでは、ＵＥからの送信が、近隣の基地局と通信する別のＵＥのアップリンク送信からの、または、別の無線ＲＦ送信機からの干渉と遭遇しうる。この干渉は、ダウンリンクとアップリンクとの両方のパフォーマンスを低下させうる。
【０００５】
モバイル・ブロードバンド・アクセスに対する需要が増加し続けているので、ＵＥが長距離無線通信ネットワークにアクセスすることや、短距離無線システムがコミュニティにおいて展開されることにより、干渉や混雑したネットワークの可能性が高まる。研究開発は、モバイル・ブロードバンド・アクセスのための増加する需要を満たすためのみならず、モバイル通信とのユーザ経験を進化および向上させるために、ＵＭＴＳ技術を進化させ続けている。
【発明の概要】
【０００６】
モバイル・デバイスの電力消費量を制御する方法が提案される。この方法は、モバイル・デバイスにサービス提供する基地局のデータ・レートを示すインジケーションを受信することを含む。この方法はさらに、モバイル・デバイスにサービス提供する、示されたデータ・レートに基づいて、モバイル・デバイスにおけるアクティブなリソースの数を動的に変化させることを含む。
【０００７】
モバイル・デバイスの電力消費量を制御する装置が提案される。この装置は、モバイル・デバイスにサービス提供する基地局のデータ・レートを示すインジケーションを受信する手段を含む。この装置はさらに、モバイル・デバイスにサービス提供する、示されたデータ・レートに基づいて、モバイル・デバイスにおけるアクティブなリソースの数を動的に変化させる手段を含む。
【０００８】
モバイル・デバイスの電力消費量を制御するためのコンピュータ・プログラム製品が提案される。このコンピュータ・プログラム製品は、記録された非一時的なプログラム・コードを有する非一時的なコンピュータ読取可能な媒体を含む。プログラム・コードは、モバイル・デバイスにサービス提供する基地局のデータ・レートを示すインジケーションを受信するためのプログラム・コードを含む。プログラム・コードはさらに、モバイル・デバイスにサービス提供する、示されたデータ・レートに基づいて、モバイル・デバイスにおけるアクティブなリソースの数を動的に変化させるためのプログラム・コードを含む。
【０００９】
モバイル・デバイスの電力消費量を制御する装置が提案される。この装置は、メモリと、このメモリに接続されたプロセッサ（単数または複数）とを含む。プロセッサ（単数または複数）は、モバイル・デバイスにサービス提供する基地局のデータ・レートを示すインジケーションを受信するように構成される。プロセッサ（単数または複数）はさらに、モバイル・デバイスにサービス提供する、示されたデータ・レートに基づいて、モバイル・デバイスにおけるアクティブなリソースの数を動的に変化させるように構成される。
【００１０】
以下に続く詳細記載が良好に理解されるために、本開示の特徴および技術的利点が、広く概説された。本開示のさらなる特徴および利点が以下に記載されるだろう。本開示は、本開示のものと同じ目的を実行するために、修正したり、その他の構成を設計するための基礎として容易に利用されうることが当業者によって理解されるべきである。このような等価な構成は、特許請求の範囲に記載された開示の教示から逸脱しないこともまた当業者によって理解されるべきである。さらなる目的および利点とともに、動作の方法と構成との両方に関し、本開示の特徴であると信じられている新規の特徴が、添付図面と関連して考慮された場合に、以下の記載から良好に理解されるであろう。しかしながら、図面のおのおのは、例示および説明のみの目的のために提供されており、本開示の限界の定義として意図されていないことが明確に理解されるべきである。
【図面の簡単な説明】
【００１１】
本開示の特徴、特性、および利点は、同一の参照符号が全体を通じて同一物に特定している図面とともに考慮された場合、以下に記載する詳細な記載からより明らかになるだろう。
【図１】図１は、テレコミュニケーション・システムの例を概念的に例示するブロック図である。
【図２】図２は、テレコミュニケーション・システムにおけるダウンリンク・フレーム構造の例を概念的に例示する図である。
【図３】図３は、アップリンク通信におけるフレーム構造の例を概念的に例示するブロック図である。
【図４】図４は、本開示の１つの態様にしたがって構成された基地局／ｅノードＢとＵＥとの設計を概念的に例示するブロック図である。
【図５】図５は、本開示の１つの態様にしたがうモバイル・デバイスの動作を例示するブロック図である。
【図６】図６は、本開示の１つの態様にしたがって、マルチ・スレッド・モバイル・デバイスにおける電力消費量を低減することを例示するブロック図である。
【発明を実施するための形態】
【００１２】
添付図面とともに以下に説明する詳細説明は、さまざまな構成の説明として意図されており、本明細書に記載された概念が実現される唯一の構成を表すことは意図されていない。この詳細説明は、さまざまな概念の完全な理解を提供することを目的とした具体的な詳細を含んでいる。しかしながら、これらの概念は、これら具体的な詳細無しで実現されうることが当業者に明らかになるであろう。いくつかの事例では、周知の構成および構成要素が、このような概念を曖昧にすることを避けるために、ブロック図形式で示されている。
【００１３】
本明細書に記載された技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングル・キャリアＦＤＭＡ（ＳＣ−ＦＤＭＡ）ネットワーク等のようなさまざまな無線通信ネットワークのために使用される。「ネットワーク」および「システム」という用語は、しばしば置換可能に使用される。ＣＤＭＡネットワークは、例えば、ユニバーサル地上ラジオ・アクセス（ＵＴＲＡ）、ＣＤＭＡ２０００等のようなラジオ技術を実現しうる。ＵＴＲＡは、広帯域ＣＤＭＡ（Ｗ−ＣＤＭＡ）および低チップ・レート（ＬＣＲ）を含む。ＣＤＭＡ２０００は、ＩＳ−２０００規格、ＩＳ−９５規格、およびＩＳ−８５６規格をカバーする。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ＩＥＥＥ  ８０２．１１、ＩＥＥＥ  ８０２．１６、ＩＥＥＥ  ８０２．２０、フラッシュ−ＯＦＤＭ（登録商標）等のようなラジオ技術を実現しうる。ＵＴＲＡ、Ｅ−ＵＴＲＡ、およびＧＳＭは、ユニバーサル・モバイル・テレコミュニケーション・システム（ＵＭＴＳ）の一部である。ロング・ターム・イボリューション（ＬＴＥ）は、Ｅ−ＵＴＲＡを使用するＵＭＴＳの最新のリリースである。ＵＴＲＡ、Ｅ−ＵＴＲＡ、ＧＳＭ、ＵＭＴＳ、およびＬＴＥは、「第３世代パートナシップ計画」（３ＧＰＰ）と命名された団体からの文書に記載されている。ＣＤＭＡ２０００は、「第３世代パートナシップ計画２」（３ＧＰＰ２）と命名された団体からの文書に記載されている。これらさまざまなラジオ技術および規格は、当該技術分野において知られている。明確化のために、これら技術のある態様は、以下において、ＬＴＥに関して記載されており、ＬＴＥ用語が以下の説明の多くで使用される。
【００１４】
本明細書に記載された技術は、例えばＣＤＭＡ、ＴＤＭＡ、ＦＤＭＡ、ＯＦＤＭＡ、ＳＣ−ＦＤＭＡ、およびその他のネットワークのようなさまざまな無線通信ネットワークのために使用されうる。用語「ネットワーク」および「システム」は、しばしば置換可能に使用される。ＣＤＭＡネットワークは、例えば、ユニバーサル地上ラジオ・アクセス（ＵＴＲＡ）、テレコミュニケーション・インダストリ・アソシエーション（ＴＩＡ）のｃｄｍａ２０００（登録商標）等のようなラジオ技術を実現しうる。ＵＴＲＡ技術は、広帯域ＣＤＭＡ（ＷＣＤＭＡ（登録商標））、およびＣＤＭＡのその他の変形を含んでいる。ＣＤＭＡ２０００（登録商標）技術は、米国電子工業会（ＥＩＡ）およびＴＩＡからのＩＳ−２０００規格、ＩＳ−９５規格、およびＩＳ−８５６規格を含んでいる。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ（登録商標）等のようなラジオ技術を実現しうる。ＵＴＲＡ技術およびＥ−ＵＴＲＡ技術は、ユニバーサル・モバイル・テレコミュニケーション・システム（ＵＭＴＳ）の一部である。３ＧＰＰロング・ターム・イボリューション（ＬＴＥ）およびＬＴＥ−アドバンスト（ＬＴＥ−Ａ）は、Ｅ−ＵＴＲＡを使用するＵＭＴＳの新たなリリースである。ＵＴＲＡ、Ｅ−ＵＴＲＡ、ＵＭＴＳ、ＬＴＥ、ＬＴＥ−Ａ、およびＧＳＭは、「第３世代パートシップ計画」（３ＧＰＰ）と呼ばれる団体からの文書に記載されている。ＣＤＭＡ２０００およびＵＭＢは、「第３世代パートナシップ計画２」（３ＧＰＰ２）と呼ばれる組織からの文書に記載されている。本明細書で記載された技術は、他の無線ネットワークおよびラジオ・アクセス技術のみならず、前述された無線ネットワークおよびラジオ・アクセス技術のためにも使用されうる。明確化のために、これら技術のある態様は、以下において、ＬＴＥまたはＬＴＥ−Ａ（代わりに、これらはともに“ＬＴＥ／−Ａ”と称される）について記載されており、このようなＬＴＥ−Ａ用語が以下の説明の多くで使用される。
【００１５】
図１は、マルチ・スレッド・プロセッサ（単数または複数）デバイスの電力消費量低減が実施されうるＬＴＥ−Ａネットワークでありうる無線通信ネットワーク１０を示す。無線ネットワーク１００は、多くのイボルブド・ノードＢ（ｅノードＢ）１１０およびその他のネットワーク・エンティティを含む。ｅノードＢは、ＵＥと通信する局であり、基地局、ノードＢ、アクセス・ポイント等とも称されうる。おのおののｅノードＢ１１０は、特定の地理的エリアのために通信有効通信範囲を提供する。３ＧＰＰでは、用語「セル」は、この用語が使用される文脈に依存して、有効通信範囲エリアにサービス提供しているｅノードＢおよび／またはｅノードＢサブシステムからなる特定の地理的有効通信範囲エリアを称しうる。
【００１６】
ｅノードＢは、マクロ・セル、ピコ・セル、フェムト・セル、および／または、その他のタイプのセルのために、通信有効通信範囲を提供しうる。マクロ・セルは、一般に、比較的大きな地理的エリア（例えば、半径数キロメータ）をカバーし、ネットワーク・プロバイダへのサービス加入を持つＵＥによる無制限のアクセスを許可しうる。ピコ・セルは、一般に、比較的小さな地理的エリアをカバーし、ネットワーク・プロバイダへのサービス加入を持つＵＥによる無制限のアクセスを許可しうる。フェムト・セルもまた一般に、比較的小さな地理的エリア（例えば、住宅）をカバーし、無制限のアクセスに加えて、フェムト・セルとの関連付けを持つＵＥ（例えば、クローズド加入者グループ（ＣＳＧ）内のＵＥ、住宅内のユーザのためのＵＥ等）による制限付のアクセスをも提供しうる。マクロ・セルのためのｅノードＢは、マクロｅノードＢと称されうる。ピコ・セルのためのｅノードＢは、ピコｅノードＢと称されうる。そして、フェムト・セルのためのｅノードＢは、フェムトｅノードＢまたはホームｅノードＢと称されうる。図１に示す例では、ｅノードＢ１１０ａ，１１０ｂ，１１０ｃは、マクロ・セル１０２ａ，１０２ｂ，１０２ｃそれぞれのためのマクロｅノードＢでありうる。ｅノードＢ１１０ｘは、ピコ・セル１０２ｘのためのピコｅノードＢでありうる。そして、ｅノードＢ１１０ｙ，１１０ｚは、それぞれフェムト・セル１０２ｙ，１０２ｚのためのフェムトｅノードＢである。ｅノードＢは、１または複数（例えば２，３，４個等）のセルをサポートしうる。
【００１７】
無線ネットワーク１００はさらに、中継局をも含みうる。中継局は、データおよび／またはその他の情報の送信を上流局（例えば、ｅノードＢ、ＵＥ等）から受信し、データおよび／またはその他の情報の送信を下流局（例えば、ＵＥまたはｅノードＢ）へ送信する局である。中継局はまた、他のＵＥのための送信を中継するＵＥでもありうる。図１に示す例では、中継局１１０ｒは、ｅノードＢ１１０ａとＵＥ１２０ｒとの間の通信を容易にするために、ｅノードＢ１１０ａおよびＵＥ１２０ｒと通信しうる。中継局はまた、リレーｅノードＢ、リレー等とも称されうる。
【００１８】
無線ネットワーク１００はまた、例えば、マクロｅノードＢ、ピコｅノードＢ、フェムトｅノードＢ、リレー等のような異なるタイプのｅノードＢを含むヘテロジニアスなネットワークでもありうる。これら異なるタイプのｅノードＢは、異なる送信電力レベル、異なる有効通信範囲エリア、および、無線ネットワーク１００内の干渉に対する異なるインパクトを有しうる。例えば、マクロｅノードＢは、高い送信電力レベル（例えば、２０ワット）を有する一方、ピコｅノードＢ、フェムトｅノードＢ、およびリレーは、低い送信電力レベル（例えば、１ワット）を有しうる。
【００１９】
無線ネットワーク１００は、同期動作または非同期動作をサポートしうる。同期動作のために、ｅノードＢは、類似のフレーム・タイミングを有し、異なるｅノードＢからの送信は、時間的にほぼ揃えられうる。非同期動作の場合、ｅノードＢは、異なるフレーム・タイミングを有し、異なるｅノードＢからの送信は、時間的に揃わない場合がある。ここに記載された技術は、同期動作あるいは非同期動作の何れかのために使用されうる。
【００２０】
１つの態様では、無線ネットワーク１００は、周波数分割多重（ＦＤＤ）動作モードまたは時分割多重（ＴＤＤ）動作モードをサポートしうる。本明細書に記載された技術は、ＦＤＤ動作モードまたはＴＤＤ動作モードの何れかのために使用されうる。
【００２１】
ネットワーク・コントローラ１３０は、ｅノードＢ１１０のセットに接続しており、これらｅノードＢ１１０のための調整および制御を提供しうる。ネットワーク・コントローラ１３０は、バックホールを介してｅノードＢ１１０と通信しうる。ｅノードＢ１１０はまた、例えば、ダイレクトに、または、無線バックホールまたは有線バックホールを介して非ダイレクトに、互いに通信しうる。
【００２２】
無線ネットワーク１００の全体にわたってＵＥ１２０が分布しうる。そして、おのおののＵＥは、固定式または移動式でありうる。ＵＥは、端末、移動局、加入者ユニット、局等とも称されうる。ＵＥは、セルラ電話、携帯情報端末（ＰＤＡ）、無線モデム、無線通信デバイス、ハンドヘルド・デバイス、ラップトップ・コンピュータ、コードレス電話、無線ローカル・ループ（ＷＬＬ）局、タブレット等でありうる。ＵＥは、マクロｅノードＢ、ピコｅノードＢ、フェムトｅノードＢ、リレー等と通信することができうる。図１では、両矢印の実線が、ＵＥと、ダウンリンクおよび／またはアップリンクでＵＥにサービス提供するように指定されたｅノードＢであるサービス提供ｅノードＢとの間の所望の送信を示す。両矢印の破線は、ＵＥとｅノードＢとの間の干渉送信を示す。ＵＥは、以下により詳細に記載されるようなマルチ・スレッド・プロセッサを含みうる。
【００２３】
ＬＴＥは、ダウンリンクで周波数分割多重（ＯＦＤＭ）を、アップリンクでシングル・キャリア周波数分割多重（ＳＣ−ＦＤＭ）を利用する。ＯＦＤＭおよびＳＣ−ＦＤＭは、システム帯域幅を、一般にトーン、ビン等とも称される複数（Ｋ個）の直交サブキャリアに分割する。おのおののサブキャリアは、データとともに変調されうる。一般に、変調シンボルは、ＯＦＤＭを用いて周波数領域で、ＳＣ−ＦＤＭを用いて時間領域で送信される。隣接するサブキャリア間の間隔は固定され、サブキャリアの総数（Ｋ個）は、システム帯域幅に依存しうる。例えば、サブキャリアの間隔は、１５ｋＨｚでありうる。そして、（「リソース・ブロック」と呼ばれる）最小リソース割当は、１２サブキャリア（または１８０ｋＨｚ）でありうる。その結果、ノミナルＦＦＴサイズは、１．２５，２．５，５，１０，または２０メガヘルツ（ＭＨｚ）の対応するシステム帯域幅についてそれぞれ１２８，２５６，５１２，１０２４，または２０４８に等しくなりうる。システム帯域幅はまた、サブ帯域へ分割されうる。例えば、サブ帯域は、１．０８ＭＨｚ（すなわち、６リソース・ブロック）をカバーし、１．２５，２．５，５，１０，１５，または２０ＭＨｚの対応するシステム帯域幅についてそれぞれ１，２，４，８，または１６のサブ帯域が存在しうる。
【００２４】
図２は、ＬＴＥにおいて使用されるダウンリンクＦＤＤフレーム構造を示す。ダウンリンクの送信タイムラインは、ラジオ・フレームの単位に分割されうる。おのおののラジオ・フレームは、（例えば１０ミリ秒（ｍｓ）のような）予め定められた持続時間を有し、０乃至９のインデクスを付された１０個のサブフレームへ分割されうる。おのおののサブフレームは、２つのスロットを含みうる。したがって、おのおののラジオ・フレームは、０乃至１９のインデクスを付された２０のスロットを含みうる。おのおののスロットは、Ｌ個のシンボル期間、（例えば、図２に示すような）通常のサイクリック・プレフィクスの場合、例えば、７つのシンボル期間を含み、拡張されたサイクリック・プレフィクスの場合、６つのシンボル期間を含みうる。おのおののサブフレームでは、２Ｌ個のシンボル期間が、０乃至２Ｌ−１のインデクスを割り当てられうる。利用可能な時間周波数リソースが、リソース・ブロックへ分割されうる。おのおののリソース・ブロックは、１つのスロットにおいてＮ個のサブキャリア（例えば、１２のサブキャリア）をカバーしうる。
【００２５】
ＬＴＥでは、ｅノードＢは、ｅノードＢにおける各セルについて、一次同期信号（ＰＳＣまたはＰＳＳ）および二次同期信号（ＳＳＣまたはＳＳＳ）を送信しうる。ＦＤＤ動作モードの場合、図２に示すように、一次同期信号および二次同期信号が、通常のサイクリック・プレフィクスを持つ各ラジオ・フレームのサブフレーム０およびサブフレーム５のおのおのにおいて、シンボル期間６およびシンボル期間５でそれぞれ送信されうる。これら同期信号は、セル検出および獲得のためにＵＥによって使用されうる。ＦＤＤ動作モードの場合、ｅノードＢは、サブフレーム０のスロット１におけるシンボル期間０乃至３で、物理ブロードキャスト・チャネル（ＰＢＣＨ）を送信しうる。ＰＢＣＨは、あるシステム情報を伝送しうる。
【００２６】
図２で見られるように、ｅノードＢは、各サブフレームの最初のシンボル期間で、物理制御フォーマット・インジケータ・チャネル（ＰＣＦＩＣＨ）を送信しうる。ＰＣＦＩＣＨは、制御チャネルのために使用されるシンボル期間の数（Ｍ）を伝えうる。ここで、Ｍは、１，２または３に等しく、サブフレーム毎に変化しうる。Ｍはまた、例えば、１０未満のリソース・ブロックのように、小さなシステム帯域幅に対して４に等しくなりうる。図２に示す例では、Ｍ＝３である。ｅノードＢは、おのおののサブフレームの最初のＭ個のシンボル期間において、物理ＨＡＲＱインジケータ・チャネル（ＰＨＩＣＨ）および物理ダウンリンク制御チャネル（ＰＤＣＣＨ）を送信しうる。ＰＤＣＣＨおよびＰＨＩＣＨもまた、図２に示す例における最初の３つのシンボル期間に含まれる。ＰＨＩＣＨは、ハイブリッド自動再送信（ＨＡＲＱ）をサポートするための情報を伝送しうる。ＰＤＣＣＨは、ＵＥのためのアップリンクおよびダウンリンクのリソース割当に関する情報と、アップリンク・チャネルのための電力制御情報とを伝送しうる。ｅノードＢはまた、おのおののサブフレームの残りのシンボル期間で、物理ダウンリンク共有チャネル（ＰＤＳＣＨ）を送信しうる。ＰＤＳＣＨは、ダウンリンクで、データ送信のためにスケジュールされたＵＥのためのデータを伝送しうる。
【００２７】
ｅノードＢは、ｅノードＢによって使用されるシステム帯域幅の中央の１．０８ＭＨｚでＰＳＣ、ＳＳＳ、およびＰＢＣＨを送信しうる。ｅノードＢは、これらのチャネルが送信される各シンボル期間において、システム帯域幅全体で、ＰＣＦＩＣＨおよびＰＨＩＣＨを送信しうる。ｅノードＢは、システム帯域幅のある部分で、ＵＥのグループにＰＤＣＣＨを送信しうる。ｅノードＢは、システム帯域幅の特定の部分で、ＵＥのグループにＰＤＳＣＨを送信しうる。ｅノードＢは、すべてのＵＥへブロードキャスト方式でＰＳＣ、ＳＳＣ、ＰＢＣＨ、ＰＣＦＩＣＨ、およびＰＨＩＣＨを送信し、ＰＤＣＣＨを、ユニキャスト方式で、特定のＵＥへ送信しうる。さらに、特定のＵＥへユニキャスト方式でＰＤＳＣＨをも送信しうる。
【００２８】
各シンボル期間において、多くのリソース要素が利用可能でありうる。おのおののリソース要素は、１つのシンボル期間において１つのサブキャリアをカバーしうる。そして、実数値または複素数値である１つの変調シンボルを送信するために使用されうる。制御チャネルのために使用されるシンボルのために、各シンボル期間において、基準信号のために使用されないリソース要素が、リソース要素グループ（ＲＥＧ）へ構成されうる。おのおののＲＥＧは、１つのシンボル期間内に、４つのリソース要素を含みうる。ＰＣＦＩＣＨは、シンボル期間０内に４つのＲＥＧを占有しうる。これらは、周波数にわたってほぼ均等に配置されうる。ＰＨＩＣＨは、１または複数の設定可能なシンボル期間内に３つのＲＥＧを占有しうる。これらは、周波数にわたって分散されうる。例えば、ＰＨＩＣＨのための３つのＲＥＧはすべて、シンボル期間０に属しうる。あるいは、シンボル期間０，１，２内に分散されうる。ＰＤＣＣＨは、最初のＭ個のシンボル期間内に、９，１８，３６，または７２のＲＥＧを占有しうる。これらは、利用可能なＲＥＧから選択されうる。複数のＲＥＧからなるある組み合わせのみが、ＰＤＣＣＨのために許容されうる。
【００２９】
ＵＥは、ＰＨＩＣＨとＰＣＦＩＣＨとのために使用された特定のＲＥＧを認識しうる。ＵＥは、ＰＤＣＣＨを求めて、ＲＥＧの異なる組み合わせを探索しうる。探索する組み合わせの数は、一般に、ＰＤＣＣＨにおいてすべてのＵＥのために許可された組み合わせ数よりも少ない。ｅノードＢは、ＵＥが探索する組み合わせのうちの何れかのＵＥにＰＤＣＣＨを送信しうる。
【００３０】
ＵＥは、複数のｅノードＢの有効通信範囲内に存在しうる。これらのｅノードＢのうちの１つが、ＵＥにサービス提供するために選択されうる。サービス提供するｅノードＢは、例えば受信電力、経路喪失、信号対雑音比（ＳＮＲ）等のようなさまざまな基準に基づいて選択されうる。
【００３１】
図３は、アップリンク・ロング・ターム・イボリューション（ＬＴＥ）通信における典型的なＦＤＤおよびＴＤＤ（特別ではないサブフレームのみの）サブフレーム構造を概念的に例示するブロック図である。アップリンクのために利用可能なリソース・ブロック（ＲＢ）は、データ・セクションおよび制御セクションに分割されうる。制御セクションは、システム帯域幅の２つの端部において形成され、設定可能なサイズを有しうる。制御セクションにおけるリソース・ブロックは、制御情報の送信のために、ＵＥへ割り当てられうる。データ・セクションは、制御セクションに含まれていないすべてのリソース・ブロックを含みうる。図３における設計の結果、データ・セクションは、連続するサブキャリアを含むようになる。これによって、単一のＵＥは、連続するサブキャリアのすべてがデータ・セクション内に割り当てられるようになる。
【００３２】
ＵＥは、ｅノードＢへ制御情報を送信するために、制御セクション内にリソース・ブロックを割り当てられうる。ＵＥはまた、ｅノードＢへデータを送信するために、データ・セクション内にリソース・ブロックを割り当てられうる。ＵＥは、制御セクションにおいて割り当てられたリソース・ブロックで、物理アップリンク制御チャネル（ＰＵＣＣＨ）で制御情報を送信しうる。ＵＥは、データ・セクションにおいて割り当てられたリソース・ブロックで、物理アップリンク共有チャネル（ＰＵＳＣＨ）で、データのみ、または、データと制御情報との両方を送信しうる。アップリンク送信は、サブフレームからなる両スロットに及び、図３に示すように、周波数を越えてホップしうる。１つの態様によれば、緩和されたシングル・キャリア動作において、ＵＬリソースで並列なチャネルが送信されうる。例えば、制御およびデータ・チャネル、並列制御チャネル、および並列データ・チャネルが、ＵＥによって送信されうる。
【００３３】
ＰＳＣ、ＳＳＣ、ＣＲＳ、ＰＢＣＨ、ＰＵＣＣＨ、ＰＵＳＣＨ、および、ＬＴＥ／−Ａで使用される他のこのような信号およびチャネルは、公的に利用可能な「イボルブド・ユニバーサル地上ラジオ・アクセス（Ｅ−ＵＴＲＡ）；物理チャネルおよび変調」（”Evolved Universal Terrestrial Radio Access (E-UTRA); Physical Channels and Modulation）と題された３ＧＰＰ  ＴＳ  ３６．２１１に記載されている。
【００３４】
図４は、図１における基地局／ｅノードＢのうちの１つ、およびＵＥのうちの１つでありうる、基地局／ｅノードＢ１１０とＵＥ１２０との設計のブロック図を示す。基地局１１０は、図１におけるマクロｅノードＢ１１０ｃでありうる。そして、ＵＥ１２０は、ＵＥ１２０ｙでありうる。基地局１１０はさらに、その他いくつかのタイプの基地局でもありうる。基地局１１０は、アンテナ４３４ａ乃至４３４ｔを備え、ＵＥ１２０は、アンテナ４５２ａ乃至４５２ｒを備えうる。
【００３５】
基地局１１０では、送信プロセッサ４２０が、データ・ソース４１２からデータを、コントローラ／プロセッサ４４０から制御情報を受信しうる。制御情報は、ＰＢＣＨ、ＰＣＦＩＣＨ、ＰＨＩＣＨ、ＰＤＣＣＨ等用でありうる。データは、ＰＤＳＣＨ等用でありうる。プロセッサ４２０は、データ・シンボルおよび制御シンボルをそれぞれ取得するために、データおよび制御情報を処理（例えば、符号化およびシンボル・マップ）しうる。プロセッサ４２０はさらに、例えばＰＳＳ、ＳＳＳのための基準シンボルや、セル特有の基準信号を生成しうる。送信（ＴＸ）複数入力複数出力（ＭＩＭＯ）プロセッサ４３０は、適用可能であれば、データ・シンボル、制御シンボル、および／または基準シンボルに空間処理（例えば、プリコーディング）を実行し、出力シンボル・ストリームを変調器（ＭＯＤ）４３２ａ乃至４３２ｔに提供しうる。おのおのの変調器４３２は、（例えば、ＯＦＤＭ等のために）それぞれの出力シンボル・ストリームを処理して、出力サンプル・ストリームを得る。おのおのの変調器４３２はさらに、出力サンプル・ストリームを処理（例えば、アナログ変換、増幅、フィルタ、およびアップコンバート）し、ダウンリンク信号を取得する。変調器４３２ａ乃至４３２ｔからのダウンリンク信号は、アンテナ４３４ａ乃至４３４ｔを介してそれぞれ送信されうる。
【００３６】
ＵＥ１２０では、アンテナ４５２ａ乃至４５２ｒが、基地局１１０からダウンリンク信号を受信し、受信した信号を、復調器（ＤＥＭＯＤ）４５４ａ乃至４５４ｒへそれぞれ提供しうる。おのおのの復調器４５４は、受信したそれぞれの信号を調整（例えば、フィルタ、増幅、ダウンコンバート、およびデジタル化）して、入力サンプルを取得しうる。おのおのの復調器４５４はさらに、（例えば、ＯＦＤＭ等のため）これら入力サンプルを処理して、受信されたシンボルを取得しうる。ＭＩＭＯ検出器４５６は、すべての復調器４５４ａ乃至４５４ｒから受信したシンボルを取得し、適用可能である場合、これら受信されたシンボルに対してＭＩＭＯ検出を実行し、検出されたシンボルを提供しうる。受信プロセッサ４５８は、検出されたシンボルを処理（例えば、復調、デインタリーブ、および復号）し、ＵＥ１２０のために復号されたデータをデータ・シンク４６０に提供し、復号された制御情報をコントローラ／プロセッサ４８０へ提供しうる。
【００３７】
アップリンクでは、ＵＥ１２０において、送信プロセッサ４６４が、データ・ソース４６２から（例えばＰＵＳＣＨのための）データを、コントローラ／プロセッサ４８０から（例えばＰＵＣＣＨのための）制御情報を受信し、これらを処理しうる。プロセッサ４６４はさらに、基準信号のための基準シンボルをも生成しうる。送信プロセッサ４６４からのシンボルは、適用可能であれば、ＴＸ  ＭＩＭＯプロセッサ４６６によってプリコードされ、さらに、（例えば、ＳＣ−ＦＤＭ等のために）変調器４５４ａ乃至４５４ｒによって処理され、基地局１１０へ送信されうる。基地局１１０では、ＵＥ１２０からのアップリンク信号が、アンテナ４３４によって受信され、復調器４３２によって処理され、適用可能な場合にはＭＩＭＯ検出器４３６によって検出され、さらに、受信プロセッサ４３８によって処理されて、ＵＥ１２０によって送信された復号されたデータおよび制御情報が取得されうる。プロセッサ４３８は、復号されたデータをデータ・シンク４３９に提供し、復号された制御情報をコントローラ／プロセッサ４４０へ提供しうる。基地局１１０は、例えばＸ２インタフェース４４１を介して、他の基地局へメッセージを送信しうる。
【００３８】
コントローラ／プロセッサ４４０，４８０は、基地局１１０およびＵＥ１２０それぞれにおける動作を指示しうる。基地局１１０におけるプロセッサ４４０および／またはその他のプロセッサおよびモジュールは、本明細書に記載された技術のためのさまざまな処理の実行または実行の指示を行いうる。ＵＥ１２０におけるプロセッサ４８０および／またはその他のプロセッサおよびモジュールは、図５の使用方法フロー・チャートに例示された機能ブロック、および／または、本明細書に記載された技術のためのその他の処理の実行または実行の指示を行いうる。メモリ４４２，４８２は、基地局１１０およびＵＥ１２０それぞれのためのデータおよびプログラム・コードを格納しうる。スケジューラ４４４は、ダウンリンクおよび／またはアップリンクでのデータ送信のためにＵＥをスケジュールしうる。
【００３９】
（電力消費量およびマルチ・スレッド・プロセッサ）  
無線通信ネットワークにおける基地局は、同じまたは異なるラジオ・アクセス技術（ＲＡＴ）を使用しうる。異なる無線通信規格は、異なるアップリンク通信レートおよびダウンリンク通信レートをサポートする。下記の表１は、さまざまな規格によってサポートされているアップリンク・データ・レートおよびダウンリンク・データ・レートを例示する。  
【表１】
0005727095.tif 000002
【００４０】
同じＲＡＴを用いる同じネットワーク内の基地局は、基地局がインストールされた日、基地局がアップグレードされたか否か、基地局にどのハードウェアが含まれているか等を含むさまざまな要因に依存して、異なるデータ・レート能力で設定されうる。
【００４１】
例えば、新たにインストールされた基地局は、数年前にインストールされ未だに動作している基地局よりも、著しく高いデータ・レートが可能でありうる。
【００４２】
異なる能力を持つ基地局は、通信プロトコル内の異なるカテゴリに分類されうる。これらカテゴリは、さまざまな基地局のデータ・レート能力を識別する。
【００４３】
例えば、下記の表２は、ＨＳＰＡ（高速パケット・アクセス）通信プロトコルにおける異なる基地局能力のカテゴリを例示する。  
【表２】
0005727095.tif 000003
【００４４】
通信プロトコル内の可能性のある各カテゴリの基地局と通信するために、プロトコル互換モバイル・デバイスまたはユーザ機器（ＵＥ）は、利用可能なカテゴリにおいて指定された、考えられる各データ・レートで通信できなくてはならない。さらに、複数のプロトコルを用いて通信することができるモバイル・デバイスは、モバイル・デバイスに利用可能な各プロトコルを適用する基地局の考えられるさまざまなデータ・レートをサポートすることが可能でありうる。一般に、モバイル・デバイスは、利用可能な最高のレートでデータを処理することが可能なハードウェア構成を適用するであろう。これによって、モバイル・デバイスは、特定の基地局カテゴリ、または、実際に利用可能なデータ・レートのために所望されるものよりも高いハードウェア処理電力を使用するようになる。
【００４５】
あるモバイル・デバイスは、スレッドと呼ばれる複数の処理ユニットを含むハードウェアを装備しうる。このマルチ・ハードウェア・スレッド・アーキテクチャによって、モバイル・デバイス内の複数の処理スレッドが、同時に動作できるようになる。複数のスレッドを含むプロセッサはしばしば、インタリーブド・マルチ・スレッド（ＩＭＴ）プロセッサと呼ばれる。モバイル・デバイスは、１または複数のマルチ・スレッド・プロセッサを含みうる。このようなマルチ・スレッドは、変動するデータ・レート能力を持つ基地局との互換性を保証するために使用されうる。マルチ・ハードウェア・スレッド・アーキテクチャは、シングル・スレッド・アーキテクチャよりも多くのバッテリ電力を消費する。上述したさまざまなデータ・レートをサポートするために、可変数のハードウェア・スレッドが、特定の時点においてアクティブでありうる。ハードウェア・スレッドのような複数のアクティブな処理リソースは、電力消費量の増加をもたらしうる。
【００４６】
マルチ・スレッド・ベースのアーキテクチャを適用するモバイル・デバイスのために、電力消費量を低減し、バッテリ寿命を延ばす方法が提案される。この提案される方法は、バッテリ電力を節約するためにモバイル・デバイスが１つのタイプの基地局から別のタイプの基地局に切り替わる（または、１つのＲＡＴから別のＲＡＴへ切り替わる）場合、モバイル・デバイスのハードウェア処理を調節する。基地局、またはＲＡＴのカテゴリ、または最大データ・レートに基づいて、モバイル・デバイスは、新たなハードウェア・スレッドをアクティブまたは既存のアクティブなハードウェア・スレッドを非アクティブにするように、または、プロセッサ周波数を増加または減少させるように、ハードウェアを再設定しうる。モバイル・デバイスは、基地局から利用可能なデータ・レートを望ましいようにマッチさせるために、アクティブなハードウェア処理能力を調節しうる。提案されたアプローチを用いなければ、モバイル・デバイスは、モバイル・デバイスのフル処理電力に望ましいようにマッチさせるために十分なデータ・レートをサポートしない基地局と通信する場合に、処理電力の多くが浪費されても、最高のパフォーマンス処理設定を用いて連続的に動作しうる。処理電力を使用しすぎることによって、モバイル・デバイスは、より低いデータ・レート・トラフィックを取り扱うように設計されたデュアル・モード・モバイル・デバイスおよび従来のシングル・モード（シングル・スレッド）モバイル・デバイスよりも早くバッテリ電力を消費するようになるだろう。
【００４７】
図５に図示されるように、提案されるスキームは、基地局またはＲＡＴの変化を識別するため、および、多くのアクティブなハードウェア・スレッドとハードウェア処理周波数を含むハードウェア処理電力を再設定するために、モバイル・デバイスのプロトコル・スタックＲＲＣ（ラジオ・リソース制御）ユニットを使用しうる。
【００４８】
マルチ・スレッド・ベースのアークテクチャ電力消費量を低減するために、モバイル・デバイスの、関連付けられたハードウェア処理能力は、モバイル・デバイスが接続されている基地局によって提供されている最大データ・レートに基づいて再設定されうる。
【００４９】
関連付けられたハードウェア処理能力は、プロセッサや、例えばバスおよびメモリのようなその他のハードウェア構成要素のみならず、多くのアクティブなハードウェア・スレッドによって使用されるクロック・レートの周波数によって決定されうる。１つの態様では、モバイル・デバイスの全待機（all-waits）の時間が増加される。全待機期間（all-waits period）は、すべてのハードウェア・スレッドが、例えば浅いスリープ・モードのように非アクティブである期間である。一般に、マルチ・スレッド・アーキテクチャによって使用されるハードウェア・スレッドが多くなると、アークテクチャが達成しうる全待機時間が短くなる。しかしながら、全待機期間を長くすることによって、かなりの量の電力が節約されうる。
【００５０】
基地局によって変動する電力消費量を改善するために、モバイル・デバイスは、所望のデータ・レートで動作すると、特定の基地局を識別しうる。これは、モバイル・デバイスのＲＲＣユニットで生じうる。ＲＲＣユニットは、ハンドオーバ目的のために望ましい基地局を識別しうる。望ましい基地局が、異なるデータ・レート・カテゴリを用いて設定されている場合、ＲＲＣユニットは、関連付けられたハードウェア処理ユニットに対して、その処理能力を調節するように通知しうる。ＲＲＣユニットは、さらに長い全待機期間を達成するために、アクティブなハードウェア・スレッドの数と、関連付けられたプロセッサ周波数とを調節しうる。これによって、モバイル・デバイスにおける省電力が改善される。
【００５１】
１つの態様では、モバイル・デバイスのマルチ・スレッド・アーキテクチャを設定する方法が、以下のように実行される。モバイル・デバイスに電源が投入された場合（あるいは、非アクティブなモードからアクティブ化された場合）、モバイル・デバイスとネットワークとの間で送信トラフィックおよび受信トラフィックを処理するようにハードウェアを設定するために、デフォルトの低電力消費設定が使用される。モバイル・デバイスがネットワークに接続されると、ＲＡＴが決定される。そして、接続されている基地局によってブロードキャストされた情報から、セル設定情報が取得される。モバイル・デバイスのＲＲＣユニットは、接続している基地局がサポートできる最大のデータ・レートを取り扱うようにモバイル・デバイスを設定しながら、低電力消費を達成するための対応する所望のハードウェア構成を導出するためにこのセル構成を用いうる。
【００５２】
モバイル・デバイスが、現在の基地局有効通信範囲の外に出て、新たな基地局に接続した場合、以下の動作が実行されうる。ハンドオーバ（新たな）基地局が同じＲＡＴを使用するが、異なるカテゴリである場合、モバイル・デバイスは、ハンドオーバ基地局ブロードキャスト情報を取得することによってこれを発見する。その後、モバイル・デバイスは、対応する所望のハードウェア構成の導出、および、新たな基地局がサポートできる最大データ・レートを取り扱うように現在のハードウェア構成の調節を行うために、このセル構成を用いうる。
【００５３】
新たな基地局が、別のＲＡＴを使用する場合、モバイル・デバイスは、ハンドオーバ基地局ブロードキャスト情報を取得することによってこれを発見するだろう。モバイル・デバイスは、その後、対応する所望のハードウェア構成の導出、および、新たな基地局がサポートできる最大データ・レートを取り扱うように現在のハードウェア構成の調節を行うために、このセル構成を用いうる。
【００５４】
新たな基地局が同じＲＡＴおよび同じカテゴリを使用する場合、モバイル・デバイスは、ハンドオーバ・セル・ブロードキャスト情報を取得することによってこれを発見するだろう。モバイル・デバイスはその後、既存のハードウェア構成を使用し続けうる。
【００５５】
開示された方法によって達成されうる省電力は、顕著でありうる。一例において、６つのハードウェア・スレッドを備え、３時間のバッテリ寿命が残っているモバイル・デバイスは、全待機状態にあることによって処理電力の９０％を節約しうる。
【００５６】
ここでは、モバイル・デバイスが、さまざまな異なるＲＡＴ間をローミングする場合が説明されるだろう。ＬＴＥネットワークでは、デバイスは、非常に高いデータ・レートをサポートし、６つすべてのアクティブなハードウェア・スレッドを用いるように設定されうる。その結果、ほとんど節電されない。デバイスがＨＳＰＡネットワークに移動した場合、ネットワークによってサポートされているデータ・レートは、表１に示したように、落ちる。１０Ｍｂｐｓダウンリンク・データ・レート・シナリオでは、モバイル・デバイスを再設定することなく、モバイル・デバイスは、その処理電力の１８％を節約しうる。しかしながら、デバイスは、３つのアクティブなハードウェア・スレッド構成を用いて、その処理電力の最大３０％を節約しうる。したがって、モバイル・デバイスのアクティブなハードウェア・スレッドを再設定することによって、このデバイスは、１０Ｍｂｐｓ（毎秒あたりのメガビット）ダウンリンクのデータ速度で、ＨＳＰＡネットワークにおいて１２％長く動作しうる。モバイル・デバイスがＥＤＧＥネットワークに移動した場合、このデバイスが、６つのアクティブなハードウェア・スレッドを使用し続けるのであれば、その省電力は２５％である。モバイル・デバイスが１または２のアクティブなハードウェア・スレッドを使用する場合、その省電力は６０％である。したがって、モバイル・デバイスのアクティブなハードウェア・スレッドを再設定することによって、このデバイスは、１．９Ｍｂｐｓダウンリンクのデータ速度で、ＥＤＧＥネットワークにおいて３５％長く動作しうる。
【００５７】
別の例では、同じモバイル・デバイスが、ＨＳＰＡプロトコルの下で動作する基地局へのみローミングする。ここでは、基地局は異なるデータ・レート・カテゴリを有する。バッテリ電力によって、移動局が、ＨＳＰＡカテゴリ２８基地局有効通信範囲エリアに１時間、その後、ＨＳＰＡカテゴリ９基地局有効通信範囲エリアに１時間、さらにその後、ＨＳＰＡカテゴリ４基地局有効通信範囲エリアに１時間接続できるようになると仮定する。
【００５８】
ＨＳＰＡカテゴリ２８基地局は、最大８４Ｍｂｐｓのダウンリンク・データ・レートを提供できうるので、移動局は、６つすべてのハードウェア・スレッドを使用するように設定され、結果として、ほとんど節電されない。モバイル・デバイスが、ＨＳＰＡカテゴリ９基地局の有効通信範囲エリアへ移動した場合、表２に示されるように、ネットワークによってサポートされるデータ・レートは、１０Ｍｂｐｓの最大ダウンリンク・レートに落ちる。１０Ｍｂｐｓダウンリンク・データ・レート・シナリオでは、モバイル・デバイスを再設定しない場合、モバイル・デバイスは、処理電力の１８％を節約しうる。モバイル・デバイスは、３つだけがアクティブなハードウェア・スレッドの構成を用いて、その処理電力の最大３０％を節約しうる。したがって、モバイル・デバイスは、モバイル・デバイスのアクティブなハードウェア・スレッドを再設定することによって、ＨＳＰＡカテゴリ９基地局有効通信範囲において１２％長く動作しうる。モバイル・デバイスが、ＨＳＰＡカテゴリ４基地局有効通信範囲エリアへ移動した場合、モバイル・デバイスが、いまだに６つのアクティブなハードウェア・スレッドを動作させるように設定されているのであれば、省電力は２５％である。モバイル・デバイスが１または２のアクティブなハードウェア・スレッドを使用するように設定されている場合、省電力は６０％である。したがって、モバイル・デバイスのアクティブなハードウェア・スレッドを再設定することによって、モバイル・デバイスは、ＨＳＰＡカテゴリ４基地局有効通信範囲エリアにおいて３５％長く動作しうる。
【００５９】
１つの態様では、モバイル・デバイスは、全待機期間を延ばすことによって、電力消費量を低減させうる。そうすることは、あるタスクをより迅速に達成するために追加のハードウェア・スレッドまたはその他の処理リソースをアクティブ化し、もって、モバイル・デバイスが、可能であった場合よりも早く全待機状態に入ることできるようにすることを含みうる。
【００６０】
別の態様では、あるしきい値未満のバッテリ電力利用可能性を有するモバイル・デバイスが、節電モードに入りうる。この結果、モバイル・デバイスは、低減されたレート容量で動作することを選択する。モバイル・デバイスは、この低減されたレート容量をサービス提供基地局へレポートしうる。これによって、低減されたレートで通信を続けることが可能となる。その後、モバイル・デバイスは、節電モードで動作するように、アクティブな処理リソースの数を調節しうる。この調節は、低減されたデータ・レート能力にしたがって、アクティブなリソースの数を低減することを含みうるが、全待機期間が最終的に延びるようにアクティブ・リソースの数を一時的に増加させることをも含みうる。モバイル・デバイスは、アクティブなリソースの数を調節する際に、節電モードで動作できる時間を増加させうる。
【００６１】
図６は、本開示の１つの態様にしたって電力消費量を低減することを例示する図解である。ブロック６０２に図示されるように、モバイル・デバイスは、モバイル・デバイスにサービス提供する基地局のデータ・レートを示すインジケーションを受信する。ブロック６０４に図示されるように、モバイル・デバイスは、モバイル・デバイスにサービス提供する基地局の、示されたデータ・レートに基づいて、モバイル・デバイスにおけるアクティブなリソースの数を動的に変化させる。
【００６２】
１つの構成では、モバイル・デバイスにサービス提供する基地局のデータ・レートを示すインジケーションを受信する手段と、モバイル・デバイスにサービス提供する基地局の、示されたデータ・レートに基づいて、モバイル・デバイスにおけるアクティブなリソースの数を動的に変化させる手段と、を含むモバイル・デバイスが、無線通信のために構成される。１つの態様では、前述した手段は、受信プロセッサ４５８、コントローラ／プロセッサ４８０、メモリ４８２、および／または、送信プロセッサ４６４でありうる。別の態様では、前述した手段は、前述した手段によって記載された機能を実行するように構成されたモジュールまたは任意の装置でありうる。
【００６３】
当業者であればさらに、本明細書の開示に関連して記載されたさまざまな例示的な論理ブロック、モジュール、回路、およびアルゴリズム・ステップが、電子工学ハードウェア、コンピュータ・ソフトウェア、あるいはこれらの組み合わせとして実現されることを理解するであろう。ハードウェアとソフトウェアとの相互置換性を明確に説明するために、さまざまな例示的な構成要素、ブロック、モジュール、回路、およびステップが、これらの機能の観点から一般的に記載された。これら機能がハードウェアとしてまたはソフトウェアとして実現されるかは、特定の用途およびシステム全体に課せられている設計制約に依存する。当業者であれば、特定の用途のおのおのに応じて変化する方式で、前述した機能を実現しうる。しかしながら、この適用判断は、本発明の範囲からの逸脱をもたらすものと解釈されるべきではない。
【００６４】
本明細書の開示に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサは、マイクロ・プロセッサでありうるが、代替例では、このプロセッサは、従来のプロセッサ、コントローラ、マイクロ・コントローラ、またはステート・マシンでありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００６５】
本明細書の開示に関連して説明された方法またはアルゴリズムのステップは、ハードウェアで直接に、プロセッサによって実行されるソフトウェア・モジュールで、またはこの２つの組合せで実施することができる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に存在しうる。典型的な記憶媒体は、プロセッサが記憶媒体から情報を読み取り、また記憶媒体に情報を書き込むことができるようにプロセッサに結合される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリートな構成要素として存在しうる。
【００６６】
１または複数の典型的な設計では、記載された機能は、ハードウェア、ソフトウェア、ファームウェア、あるいはそれらの任意の組み合わせによって実現されうる。ソフトウェアで実現される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、汎用コンピュータまたは特別目的コンピュータによってアクセスされうる任意の利用可能な媒体でありうる。限定ではなく、一例として、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶装置、あるいは、命令群またはデータ構造の形式で所望のプログラム・コード手段を伝送または格納するために使用され、かつ、汎用コンピュータまたは特別目的コンピュータ、あるいは、汎用プロセッサまたは特別目的プロセッサによってアクセスされうるその他任意の媒体を備えうる。さらに、いかなる接続も、コンピュータ読取可能な媒体として適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルー・レイ・ディスク（ｄｉｓｃ）を含む。これらｄｉｓｃは、レーザを用いてデータを光学的に再生する。それに対して、ｄｉｓｋは、通常、データを磁気的に再生する。前述した組み合わせもまた、コンピュータ読取可能な媒体の範囲内に含まれるべきである。
【００６７】
本開示の前述した記載は、当業者をして、本開示の製造または利用を可能とするように提供される。本開示に対するさまざまな変形は、当業者に容易に明らかであって、本明細書で定義された一般原理は、本開示の精神または範囲から逸脱することなく、他のバリエーションに適用されうる。このように、本開示は、本明細書で示された例および設計に限定されることは意図されておらず、本明細書で開示された原理および新規な特徴に一致した最も広い範囲に相当するとされている。
以下に、出願当初の特許請求の範囲に記載された発明を付記する。
［発明１］
モバイル・デバイスの電力消費量を制御する方法であって、
前記モバイル・デバイスにサービス提供する基地局のデータ・レートを示すインジケーションを受信することと、
前記モバイル・デバイスにサービス提供する基地局の、前記示されたデータ・レートに基づいて、前記モバイル・デバイスにおけるアクティブなリソースの数を動的に変化させることと、
を備える方法。
［発明２］
前記アクティブなリソースは、インタリーブド・マルチ・スレッド（ＩＭＴ）プロセッサのアクティブなハードウェア・スレッドを備える、発明１に記載の方法。
［発明３］
前記モバイル・デバイスがしきい値未満のバッテリ電力しか有していない場合、前記モバイル・デバイスの低減されたデータ・レート能力をレポートすることと、
前記モバイル・デバイスの低減されたデータ・レート能力にしたがって、前記アクティブなリソースの数を低減することと、
をさらに備える発明１に記載の方法。
［発明４］
前記動的に変化させることは、前記モバイル・デバイスの低電力状態における時間を増加させることに基づく、発明１に記載の方法。
［発明５］
前記動的に変化させることは、全待機時間を増加させることを備える、発明１に記載の方法。
［発明６］
前記データ・レートを示すインジケーションは、ラジオ・アクセス技術および通信プロトコル・カテゴリのうちの少なくとも１つである、発明１に記載の方法。
［発明７］
モバイル・デバイスの電力消費量を制御する装置であって、
前記モバイル・デバイスにサービス提供する基地局のデータ・レートを示すインジケーションを受信する手段と、
前記モバイル・デバイスにサービス提供する基地局の、前記示されたデータ・レートに基づいて、前記モバイル・デバイスにおけるアクティブなリソースの数を動的に変化させる手段と、
を備える装置。
［発明８］
前記アクティブなリソースは、インタリーブド・マルチ・スレッド（ＩＭＴ）プロセッサのアクティブなハードウェア・スレッドを備える、発明７に記載の装置。
［発明９］
前記動的に変化させる手段は、前記モバイル・デバイスの低電力状態における時間を増加させることに基づく、発明７に記載の装置。
［発明１０］
前記動的に変化させる手段は、全待機時間を増加させる手段を備える、発明７に記載の装置。
［発明１１］
モバイル・デバイスの電力消費量を制御するためのコンピュータ・プログラム製品であって、
記録された非一時的なプログラム・コードを有する非一時的なコンピュータ読取可能な媒体を備え、前記プログラム・コードは、
前記モバイル・デバイスにサービス提供する基地局のデータ・レートを示すインジケーションを受信するためのプログラム・コードと、
前記モバイル・デバイスにサービス提供する基地局の、前記示されたデータ・レートに基づいて、前記モバイル・デバイスにおけるアクティブなリソースの数を動的に変化させるためのプログラム・コードと
を備える、コンピュータ・プログラム製品。
［発明１２］
前記アクティブなリソースは、インタリーブド・マルチ・スレッド（ＩＭＴ）プロセッサのアクティブなハードウェア・スレッドを備える、発明１１に記載のコンピュータ・プログラム製品。
［発明１３］
前記動的に変化させるためのプログラム・コードは、前記モバイル・デバイスの低電力状態における時間を増加させることに基づく、発明１１に記載のコンピュータ・プログラム製品。
［発明１４］
前記動的に変化させるためのプログラム・コードは、全待機時間を増加させるためのプログラム・コードを備える、発明１１に記載のコンピュータ・プログラム製品。
［発明１５］
モバイル・デバイスの電力消費量を制御する装置であって、
メモリと、
前記メモリに接続された少なくとも１つのプロセッサとを備え、
前記少なくとも１つのプロセッサは、
前記モバイル・デバイスにサービス提供する基地局のデータ・レートを示すインジケーションを受信し、
前記モバイル・デバイスにサービス提供する基地局の、前記示されたデータ・レートに基づいて、前記モバイル・デバイスにおけるアクティブなリソースの数を動的に変化させるように構成される、装置。
［発明１６］
前記アクティブなリソースは、インタリーブド・マルチ・スレッド（ＩＭＴ）プロセッサのアクティブなハードウェア・スレッドを備える、発明１５に記載の装置。
［発明１７］
前記少なくとも１つのプロセッサはさらに、
前記モバイル・デバイスがしきい値未満のバッテリ電力しか有していない場合、前記モバイル・デバイスの低減されたデータ・レート能力をレポートし、
前記モバイル・デバイスの低減されたデータ・レート能力にしたがって、前記アクティブなリソースの数を低減する
ように構成される、発明１５に記載の装置。
［発明１８］
前記動的に変化させるように構成された少なくとも１つのプロセッサは、前記モバイル・デバイスの低電力状態における時間を増加させることに基づく、発明１５に記載の装置。
［発明１９］
前記動的に変化させるように構成された少なくとも１つのプロセッサは、全待機時間を増加させるように構成された前記少なくとも１つのプロセッサを備える、発明１５に記載の装置。
［発明２０］
前記データ・レートを示すインジケーションは、ラジオ・アクセス技術および通信プロトコル・カテゴリのうちの少なくとも１つである、発明１５に記載の装置。
【図１】
0005727095.tif 000004
【図２】
0005727095.tif 000005
【図３】
0005727095.tif 000006
【図４】
0005727095.tif 000007
【図５】
0005727095.tif 000008
【図６】
0005727095.tif 000009